(57)【要約】【課題】電子機器筐体の開口等を開閉するための扉体に関し、寸法変化に対する高い融通性を維持しつつ必要な剛性も確保することができることを目的とする。【解決手段】薄板鋼板により形成されるパネル体１を補強体２により補強した扉体であって、  前記補強体２は、少なくとも一方が長さ調節可能な縦支柱部材３と横支柱部材４とを十字形状に連結して形成されるとともに、  パネル体１の四側縁には、コ字状断面部を備えたパネル側補強部５が折曲形成され、  前記補強体２の縦横支柱部材４の両端をパネル側補強部５に固定してパネル体１を補強して構成する。【選択図】図１
2008156850.tif 000002
【特許請求の範囲】
【請求項１】
薄板鋼板により形成されるパネル体を補強体により補強した扉体であって、
前記補強体は、少なくとも一方が長さ調節可能な縦支柱部材と横支柱部材とを十字形状に連結して形成されるとともに、
パネル体の四側縁には、コ字状断面部を備えたパネル側補強部が折曲形成され、
前記補強体の縦横支柱部材の両端をパネル側補強部に固定してパネル体を補強した扉体。
【請求項２】
前記横支柱部材の縦支柱部材への連結位置が可変である請求項１記載の扉体。
【請求項３】
前記補強体の縦横支柱部材の少なくとも一方は、パネル側補強部に沿う補助桟部が両端に連結されてＨ字形状に形成される請求項１または２記載の扉体。
【請求項４】
前記横支柱部材に冷却ファンが固定される請求項１、２または３記載の扉体。
【発明の詳細な説明】
【技術分野】
【０００１】
本発明は電子機器筐体の開口等を開閉するための扉体に関するものである。
【背景技術】
【０００２】
パネル体を補強材により補強した扉体としては、特許文献１に記載されたものが知られている。この従来例において、扉体は、中空継ぎ手を介して芯材を矩形枠形状に連結した芯組を化粧パネルの裏面に固定して形成される。
【特許文献１】特開平１１-２３６７９０
【発明の開示】
【発明が解決しようとする課題】
【０００３】
しかし、上述した従来例において、化粧パネルが薄板鋼板のように、剛性の少ない材料である場合には、扉体の剛性は芯組の剛性により決定される。このため、扉体に必要な剛性をもたせるためには、芯組を化粧パネルの縦横長さに正確に合致させて形成する必要があり、扉体の寸法が変化すると、新たに芯組を設定する必要があるという問題がある。
【０００４】
本発明は、以上の欠点を解消すべくなされたものであって、寸法変化に対する高い融通性を維持しつつ必要な剛性も確保できる扉体の提供を目的とする。
【課題を解決するための手段】
【０００５】
本発明において、扉体は薄板鋼板により形成されるパネル体１の裏面を補強体２により補強して形成される。薄板鋼板により形成されるパネル体１は、それ自体剛性に欠けるものの、折り曲げ加工性に優れているために、これを利用して四側縁に補助的なパネル側補強部５を形成する。
【０００６】
一方、補強体２は、縦支柱部材３と横支柱部材４とを十字形状に連結して形成され、これら縦横支柱部材４の両端をパネル側補強部５に連結すると、パネル側補強部５により補強された辺縁間の間隔、相対位置を維持するようにパネル体１の変位を規制するために、結果的に扉体全体の剛性が向上する。
【０００７】
また、パネル体１の補強は、十字形状の補強体２の両端をパネル側補強部５に連結することにより行われるために、パネル辺縁に合致させて補強体２を枠組みする場合に比して、縦横支柱部材４の長さを調節するだけで簡単に種々の大きさのパネル体１に適応させることが可能になる。この結果、扉体の寸法変化に対する融通性を向上させ、かつ補強体２の汎用性も向上する。
【発明の効果】
【０００８】
本発明によれば、寸法変化に対する高い融通性を維持しつつ必要な剛性も確保することができる。
【発明を実施するための最良の形態】
【０００９】
図１に電子装置筐体８の扉体として構成された本発明の実施の形態を示す。装置筐体８の内部は、図外の棚により複数段に仕切られており、各段に電子機器９が載せられる。冷却が必要な電子機器９の全部または適数には、冷却をおこなう冷却ファン９ａが取り付けられる。
【００１０】
また、装置筐体８には、装置筐体８内から電子機器９の出し入れをする開口を塞ぐ扉体がヒンジを介して回転可能に取り付けられる。図１（ｂ）に示すように、扉体は予め所定の大きさに成形されたパネル体１に補強体２を取り付けて形成される。パネル体１は、薄板の鋼板により形成され、装置筐体８内と外気との間の通風を確保するために、多数の小孔１ａが穿孔されたパンチングメタルが使用される。また、パネル体１には、必要に応じ、図外の把手等が固定される。
【００１１】
上記パネル体１の四側縁は後方にコ字形状に折り曲げられてパネル側補強部５が形成される。図２（ｂ）に示すように、上下縁に形成されるパネル側補強部５は、ヒンジ形成部５ａとしても利用されるために、縁部をさらに折り曲げて中空矩形状断面に形成されて補強される。また、後述するように、横支柱部材４の設置高さを可変にするために、側縁のパネル側補強部５の背面壁には縦方向に長いスリット５ｂが形成される。
【００１２】
以上のように形成されるパネル体１を補強するための補強体２は、図２、３に示すように、縦支柱部材３に横支柱部材４を連結して正面視十字形状に形成される。縦方向寸法が可変なこの実施の形態において、縦支柱部材３は、図３（ａ）に示す下部支柱１１と図３（ｂ）に示す上部支柱１２とを連結して形成される。
【００１３】
下部支柱１１には、適宜間隔でビス挿通孔１１ａが開設されるとともに、上部支柱１２には上記ビス挿通孔１１ａが合致可能な位置に寸法調整用スリット１２ａが開設される。また、上部支柱１２の上端、および下部支柱１１の下端には、パネル側補強部５にねじ込まれるビスの挿通孔５ｃが開設される。
【００１４】
上記横支柱部材４の中央部と両端には、バーリング加工を施してねじ孔４ａ、４ｂが形成される。両端に形成されるねじ孔４ｂは、後述するようにパネル体１への固定片１３をねじ止めするために、中央部のねじ孔４ａは、縦支柱部材３をねじ止めするために使用される。また、横支柱部材４の中央部には、上記ねじ孔４ａを挟むようにＺ字形状のガイド部材４ｃが固定される。ガイド部材４ｃは、上記縦支柱部材３の両側縁を挟み付け、後述する縦支柱部材３のスライド動作をガイドする。
【００１５】
したがってこの実施の形態において、補強体２は、図３（ｄ）に示すように、横支柱部材４、下部支柱１１、上部支柱１２の順に積層された状態でビス２ａにより連結される。ビス２ａは上部支柱１２の寸法調整用スリット１２ａ、および下部支柱１１のビス挿通孔１１ａを貫通して横支柱部材４のねじ孔４ａにねじ込まれ、縦横の支柱部材３、４を強固に締結する。
【００１６】
この状態からビス２ａを緩めると上部支柱１２を上下移動させることが可能になる適当な位置でビス２ａを締め付けると、上部支柱１２と下部支柱１１との重合寸法が変化するために、縦支柱部材３の長さが変化する。このようにして縦支柱部材３の長さを調整してパネル体１の縦方向寸法に合致させた状態で、上記縦横の支柱部材３、４の端部をパネル体１のパネル側補強部５に固定することにより扉体が完成する。
【００１７】
パネル体１に補強体２を固定した状態において、パネル体１に対向辺間の間隔を変化させ、あるいは対向辺の属する面を捩る力が加わっても、補強体２が荷重負担して変形を規制するために、扉体全体として必要な剛性が発揮される。
【００１８】
また、この実施の形態において、扉体は横支柱部材４の設置高さを変更できる。横支柱部材４の設置高さを変更するために、横支柱部材４の両端には、嵌合用折り曲げ片４ｄが形成される。図２（ｃ）に示すように、横支柱部材４のパネル側補強部５への固定は、横支柱部材４の嵌合用折り曲げ片４ｄをパネル側補強部５のスリット５ｂに嵌合させた状態で固定片１３を横支柱部材４に固定片１３に形成されるビス挿通孔１３ａを貫通させて横支柱部材４のねじ孔４ｂにねじ止めすることにより、固定片１３によってパネル側補強部５の弾性を利用して横支柱部材４に押し付けられて挟み付けることで行われる。
【００１９】
横支柱部材４の設置高さの変更は、ビス２ａを挿通させる縦支柱部材３のビス挿通孔１１ａを変更して縦支柱部材３への横支柱部材４の連結位置を変更することにより行うことができ、パネル側補強部５のスリット５ｂは、変更位置での横支柱部材４のパネル体１への固定を可能にする。
【００２０】
したがってこの実施の形態において、図４（ａ）に示すように、横支柱部材４が装置筐体８内に収容される電子機器９の冷却ファン９ａに正対し、冷却風流の妨げになる場合には、図４（ｂ）に示すように、横支柱部材４の位置を変更して冷却効率を向上させることができる。
【００２１】
なお、以上において、補強体２は縦方向に寸法調整可能に形成される場合が示されているが、横方向に寸法調整可能としたり、あるいは双方向に寸法調整可能とすることができる。
【００２２】
また、縦横支柱部材３、４は両端が直接パネル体１に固定されているが、図５に示すように、パネル側補強部５の長手方向に沿う補助桟部６を縦横支柱部材３、４のいずれか、あるいは双方に固定し、この補助桟部６を介して補強体２をパネル体１に固定することもできる。パネル体１に変形力が働いたときには、パネル体１の補強体２との接合部に大きな荷重が負荷されるが、補助桟部６を介在させてパネル体１と補強体２との接合部面積を大きくすると、パネル体１への応力集中を防止することができるために、パネル体１の有害な変形等が確実に防止できる。
【００２３】
さらに、図６に示すように、横支柱部材４上に所定の間隔で開口４ｅを形成し、この開口４ｅに冷却ファン７の通風口７ａが位置するように冷却ファン７をねじ止めして横支柱部材４に固定する。そして、冷却ファン７の、電源コード７ｂを取りまとめてパネル側補強部５のコ字状の中空部内を通して、コネクタ７ｃにより図外の電源と接続される。以上のように、横支柱部材４に冷却ファン７を固定した場合には、装置筐体８内への冷却風送風が可能になる。
【図面の簡単な説明】
【００２４】
【図１】本発明を示す図で、（ａ）は扉体が電子装置筐体に取り付いた状態を示す斜視図、（ｂ）は、補強体のパネル体への取り付き状態を示す斜視図である。
【図２】扉体の詳細を示す図で、（ａ）は扉体裏面の正面図、（ｂ）は（ａ）の２Ｂ-２Ｂ線断面図、（ｃ）は２Ｃ-２Ｃ線断面図である。
【図３】補強体を示す図で、（ａ）は、下部支柱の要部拡大図、（ｂ）は上部支柱の要部拡大図、（ｃ）は図２（ａ）の３Ｃ-３Ｃ断面図である。
【図４】横支柱部材の位置変更を示す図で、（ａ）は位置変更前、（ｂ）は位置変更後を示す図である。
【図５】本発明の変形例を示す図で、補強体のパネル体への取り付け状態を示す斜視図である。
【図６】本発明の第２の変形例を示す図で、（ａ）は扉体裏面の背面図、（ｂ）は電子装置筐体に扉体が取り付いた状態を示す正面図、（ｃ）は電子装置筐体に扉体が取り付いた状態を示す平面図である。
【符号の説明】
【００２５】
１    パネル体
２    補強体
３    縦支柱部材
４    横支柱部材
５    パネル側補強部
６    補助桟部
７    冷却ファン
【図１】
2008156850.tif 000003
【図２】
2008156850.tif 000004
【図３】
2008156850.tif 000005
【図４】
2008156850.tif 000006
【図５】
2008156850.tif 000007
【図６】
2008156850.tif 000008